(57)【要約】【課題】作業者の有無や作業内容に応じて、照明の点灯状態と消灯状態をエリアごとに効率よく切り替えることが可能な照明制御装置を提供する【解決手段】机７〜１４の上に載置されたノートパソコン１ａ〜１ｈに開閉センサ２が取り付けられ、この開閉センサ２に制御部３ａ，３ｂが接続されており、制御部３ａは開閉センサ２によって検出されるノートパソコン１ａ〜１ｄの開閉状態に基づいて天井照明１５ａを点灯又は消灯し、制御部３ｂは開閉センサ２によって検出されるノートパソコン１ｅ〜１ｈの開閉状態に基づいて天井照明１５ｂを点灯し、又は消灯する。【選択図】図２
2011065789.tif 000002
【特許請求の範囲】
【請求項１】
本体と，この本体に揺動可能に結合される表示部からなるノート型のパーソナルコンピュータが設置されたオフィスにおいて照明の動作を制御する照明制御装置であって、
前記表示部の開状態を検出して着席信号を発するとともに，閉状態を検出して離席信号を発する開閉センサと、
この開閉センサから受信した前記着席信号と前記離席信号に基づいて前記照明の点灯状態と消灯状態を切り替える制御部とを備えたことを特徴とする照明制御装置。
【請求項２】
前記開閉センサは、
先端部を押下可能に突出させた状態で前記本体の側面に取り付けられるスイッチ部と、
前記表示部の側面に取り付けられる押下部とからなり、
前記スイッチ部は、
前記表示部が閉じられた場合に前記押下部で前記先端部が押下されることによって前記閉状態を検出し、
前記表示部が開けられて前記先端部の押下が解除された場合に前記開状態を検出することを特徴とする請求項１記載の照明制御装置。
【請求項３】
前記離席信号を受信した前記制御部は、予め設定された待ち時間が経過した後、前記照明を消すことを特徴とする請求項１又は請求項２に記載の照明制御装置。
【請求項４】
前記パーソナルコンピュータからスクリーンセーバの起動信号と解除信号を検出して前記制御部に送信する信号検出手段を備え、
前記制御部は、受信した前記起動信号と前記解除信号に基づいて前記照明の動作を制御することを特徴とする請求項１乃至請求項３のいずれか１項に記載の照明制御装置。
【請求項５】
前記起動信号を受信した前記制御部は、予め設定された待ち時間が経過した後、前記照明を消すことを特徴とする請求項４記載の照明制御装置。
【発明の詳細な説明】
【技術分野】
【０００１】
本発明は、ノート型のパーソナルコンピュータ（以下、単にノートパソコンという。）を用いて作業が行われるオフィス等において、天井や壁に設置された複数の照明の点灯状態と消灯状態を一括して切り替える照明制御装置に係り、特に、ノートパソコンの使用状況から作業者の有無を判断して照明が不要なエリアのみを消灯することが可能な照明制御装置に関する。
【背景技術】
【０００２】
通常、オフィス等の天井や壁に設置された複数の照明は、点灯状態と消灯状態が手動によって切り替えられている。すなわち、最初の入室者が照明を点け、最後の退室者が照明を消すようになっている。この場合、全員が退出するまでオフィス全体の照明を消すことができないため、不経済である。そこで、最近では、オフィスを複数のエリアに分割し、エリアごとに照明を操作する方法が提案されている。しかしながら、このような方法においても、各エリアの最後の退室者による照明の消し忘れを効果的に防止することができないという課題があった。そこで、このような課題を解決するべく、近年、照明の点灯状態と消灯状態を自動で一括して切り替える技術が注目されている。そして、それに関して既に幾つかの発明や考案が開示されている。
【０００３】
例えば、特許文献１には、「自動照明点灯消灯システム」という名称で、人が出入りする場所の照明器具を自動的に点灯又は消灯させるシステムに関する発明が開示されている。
特許文献１に開示された発明は、天井等に設置される複数の人検知ユニットと、この人検知ユニットから送られる信号に基づいて照明器具の点灯及び消灯を行うスイッチ制御装置とを備えた構造となっている。
このような構造によれば、人検知ユニットによって人が検知されない場合、スイッチ制御装置により照明器具が消灯されるため、無駄な照明を防ぐことができる。
【０００４】
特許文献２には、「照明管理システム」という名称で、オフィスにおける作業者の有無に対応して照明をオン／オフすることにより節電を図るシステムに関する発明が開示されている。
特許文献２に開示された発明は、赤外線センサを利用したり、パーソナルコンピュータの電源のオン／オフ状態を監視したりするなどして作業者がいるかいないかを判断する作業者有無判断手段と、この作業者有無判断手段から送られる作業者の有無に関する情報に基づいて照明を点灯／消灯する照明オン／オフ手段とを備えている。
このような構造によれば、作業者がいない場合には照明が消されるため、節電を効果的に行うことができる。
【０００５】
特許文献３には、「節電制御システム」という名称で、オフィスにおける作業者の有無を監視して、その監視情報に応じて電気機器をオンオフすることで節電を図るシステムに関する発明が開示されている。
特許文献３に開示された発明は、制御対象機器をオン／オフ制御する制御装置と、制御対象機器に関連付けられて配置された端末装置と、通信線を介して制御装置に接続され，端末装置とネットワークを介して接続される制御状態記憶部と、制御状態記憶部の情報を用いて節電対象機器の節電状態を節電制御するネットワーク制御装置とを備え、制御状態記憶部が制御対象機器の被制御状態と制御対象機器と端末装置との関連付け情報を記憶し、ネットワーク装置が端末装置の稼働状態や停止状態を監視するとともに，最後に稼働している端末装置に対して他の端末装置が全て停止したことを知らせるメッセージを伝送する構造となっている。
このような構造によれば、最後に稼働している端末装置に対して、サーバがその旨を通知するため、その使用者は不用意に照明が消灯して作業が中断させられるおそれがない。
【先行技術文献】
【特許文献】
【０００６】
【特許文献１】特開２００４−４７２１８号公報
【特許文献２】特開２００２−５６９９０号公報
【特許文献３】特開２００５−４６４６号公報
【発明の概要】
【発明が解決しようとする課題】
【０００７】
上述の従来技術である特許文献１に開示された発明においては、人検知ユニットによって人が検知されない場合に照明器具が消灯される構造となっていることから、休憩時間に仮眠をとる場合などのように居室内に人は居るが照明を消したい場合には対応できないという課題があった。
【０００８】
また、特許文献２に開示された発明においては、パーソナルコンピュータの電源のオン／オフ状態を監視することによって作業者の有無を判断する構造となっていることから、パーソナルコンピュータの電源がオンの状態で一時的に退室したり、休憩時間に仮眠をとったりする場合には照明が消されないため、電力が無駄になるという課題があった。
【０００９】
さらに、特許文献３に開示された発明においては、端末装置の電源を切った状態で一時的に別室へ移動した後、再度戻ってきた場合には、照明が点灯状態にならないという課題があった。また、端末装置の電源が入っていないと、このシステムは作動しないため、端末装置の操作を要しない仕事をしている人は利用できないという課題があった。
【００１０】
本発明はかかる従来の事情に対処してなされたものであり、作業者の有無や作業内容に応じて、照明の点灯状態と消灯状態をエリアごとに効率よく切り替えることが可能な照明制御装置を提供することを目的とする。
【課題を解決するための手段】
【００１１】
上記目的を達成するため、請求項１記載の発明である照明制御装置は、本体と，この本体に揺動可能に結合される表示部からなるノート型のパーソナルコンピュータが設置されたオフィスにおいて照明の動作を制御する照明制御装置であって、表示部の開状態を検出して着席信号を発するとともに，閉状態を検出して離席信号を発する開閉センサと、この開閉センサから受信した着席信号と離席信号に基づいて照明の点灯状態と消灯状態を切り替える制御部とを備えたことを特徴とするものである。
このような構造の照明制御装置においては、パーソナルコンピュータの作業者が表示部を閉じると制御部によって照明が消されるとともに、表示部を開くと制御部によって照明が点けられるという作用を有する。
【００１２】
また、請求項２に記載の発明は、請求項１記載の照明制御装置において、開閉センサは、先端部を押下可能に突出させた状態で本体の側面に取り付けられるスイッチ部と、表示部の側面に取り付けられる押下部とからなり、スイッチ部は、表示部が閉じられた場合に押下部で先端部が押下されることによって閉状態を検出し、表示部が開けられて先端部の押下が解除された場合に開状態を検出することを特徴とするものである。
このような構造の照明制御装置においては、パーソナルコンピュータの稼働状態に関わらず、表示部の開閉状態が検出されることから、パーソナルコンピュータの電源がＯＦＦ状態であっても、表示部を閉じることで制御部によって照明が消されるとともに、表示部を開くことで制御部によって照明が点けられるという作用を有する。
【００１３】
請求項３に記載の発明は、請求項１又は請求項２に記載の照明制御装置において、離席信号を受信した制御部は、予め設定された待ち時間が経過した後、照明を消すことを特徴とするものである。
このような構造の照明制御装置においては、パーソナルコンピュータの作業者が表示部を閉じてもすぐには照明が消えず、所定の時間が経過した後に照明が消えるという作用を有する。
【００１４】
請求項４に記載の発明は、請求項１乃至請求項３のいずれか１項に記載の照明制御装置において、パーソナルコンピュータからスクリーンセーバの起動信号と解除信号を検出して制御部に送信する信号検出手段を備え、制御部は、受信した起動信号と解除信号に基づいて照明の点灯状態と消灯状態を切り替えることを特徴とするものである。
このような構造の照明制御装置においては、パーソナルコンピュータの稼働中であれば、表示部の開閉状態に関わらず、スクリーンセーバの起動の有無が検出される。従って、表示部が開いたままであっても、作業者がパーソナルコンピュータを所定の時間操作しないことによりスクリーンセーバが起動した場合には、制御部によって照明が消されるとともに、作業者がパーソナルコンピュータを操作してスクリーンセーバが解除された場合には制御部によって照明が点けられるという作用を有する。
【００１５】
請求項５に記載の発明は、請求項４記載の照明制御装置において、起動信号を受信した制御部は、予め設定された待ち時間が経過した後、照明を消すことを特徴とするものである。
このような構造の照明制御装置においては、スクリーンセーバが起動してもすぐには照明が消えず、所定の時間が経過した後に照明が消えるという作用を有する。
【発明の効果】
【００１６】
本発明の請求項１に記載の照明制御装置によれば、作業者が離席する際にパーソナルコンピュータの表示部を閉じるだけで照明が消えるため、照明の消し忘れを防止することが可能である。また、エリア内の全てのパーソナルコンピュータから離席信号を受信した場合にのみ制御部が照明を消すような構成にするならば、照明が不要なエリアのみ消灯状態にすることが可能である。これにより、省電力化を図ることができる。さらに、エリア内のパーソナルコンピュータから１台でも着席信号を受信すると制御部が照明を点けるような構成にするならば、照明が必要となったエリアを素早く点灯状態にすることができる。
【００１７】
本発明の請求項２に記載の照明制御装置によれば、休憩時間の仮眠等のようにオフィス内に作業者が居る状態でも照明を消すことができる。また、パーソナルコンピュータを稼動させずに別の作業をする場合でも表示部を開いておくことにより、照明が消えないようにすることができる。
【００１８】
本発明の請求項３に記載の照明制御装置によれば、作業者がパーソナルコンピュータの表示部を閉じてから退室するまでの間は照明の点灯状態を維持し、作業者が退室した後に、照明を消すようにすることができる。これにより、退室時の安全が確保される。
【００１９】
本発明の請求項４に記載の照明制御装置によれば、作業者が一時的に別室に移動する時などのように、パーソナルコンピュータの電源を入れた状態で表示部を閉じることなく、退室した場合でも確実に照明を消すことができる。
【００２０】
本発明の請求項５に記載の照明制御装置によれば、スクリーンセーバが起動してから作業者が退室するまでの間は照明を消さずに、作業者が退室した後に照明を消すようにすることができる。これにより、退室時の安全が確保される。
【図面の簡単な説明】
【００２１】
【図１】本発明の実施の形態に係る照明制御装置の外観斜視図である。
【図２】実施例１の照明制御装置が机上に設置されているオフィスを模式的に示した平面図である。
【図３】実施例１の照明制御装置における制御部の動作手順を示すフローチャートである。
【図４】実施例１の照明制御装置における制御部の動作手順を示すフローチャートである。
【図５】本発明の実施の形態に係る照明制御装置の実施例２における制御部の動作手順を示すフローチャートである。
【図６】実施例２の照明制御装置における制御部の動作手順を示すフローチャートである。
【発明を実施するための形態】
【００２２】
本発明の照明制御装置は、表示部が開閉可能なノートパソコンが設置されたオフィスにおいて使用されるものである。以下、その実施例について図１乃至図６を参照しながら具体的に説明する。
【実施例１】
【００２３】
実施例１の照明制御装置について図１乃至図４を用いて説明する（特に、請求項１乃至請求項３に対応）。
図１は本発明の実施の形態に係る照明制御装置の実施例１の外観斜視図であり、図２は実施例１の照明制御装置が机上に設置されているオフィスを模式的に示した平面図である。また、図３及び図４はそれぞれ実施例１の照明制御装置における制御部の動作手順を示すフローチャートである。
【００２４】
図１に示すように、本実施例の照明制御装置は、ノートパソコン１に取り付けられた開閉センサ２と、オフィスの天井照明（図示せず）の動作を制御する制御部３とを備えている。本体４の側面には、先端部６を押下可能に突出させた状態でスイッチ部２ａが取り付けられている。また、表示部５のカバー５ａの側面には、カバー５ａが閉じられた状態でスイッチ部２ａの先端部６を押下するように押下部２ｂが取り付けられている。すなわち、スイッチ部２ａと押下部２ｂからなる開閉センサ２は、スイッチ部２ａの先端部６が押下部２ｂによって押下されることによりカバー５ａが閉じられたことを検出し、押下部２ｂによるスイッチ部２ａの先端部６の押下が解除されることによりカバー５ａが開けられたことを検出する。また、スイッチ部２ａは制御部３に接続されており、カバー５ａの開状態を検出して離席信号ａ１を発し、カバー５ａの閉状態を検出して着席信号ａ２を発する。そして、離席信号ａ１と着席信号ａ２を受け取った制御部３は、これらの信号に基づいて天井照明を点灯し、又は消灯する。
【００２５】
図２に示すように、机７〜１４の上に載置されたノートパソコン１ａ〜１ｈに開閉センサ２と制御部３ａ，３ｂが接続されている。この場合、制御部３ａは開閉センサ２によって検出されるノートパソコン１ａ〜１ｄの開状態又は閉状態に基づいて天井照明１５ａの点灯状態と消灯状態を切り換え、制御部３ｂは開閉センサ２によって検出されるノートパソコン１ｅ〜１ｈの開状態又は閉状態に基づいて天井照明１５ｂの点灯状態と消灯状態を切り換える。
【００２６】
次に、本実施例の照明制御装置の動作手順について図２を参照しながら図３及び図４を用いて説明する。
図３に示すように、例えば、天井照明１５ａ，１５ｂが点灯している状態で机７〜１０の作業者が離席する際に各自のノートパソコン１ａ〜１ｄのカバー５ａを閉じると、開閉センサ２から制御部３ａに離席信号ａ１が送られる。ステップＳ１において、制御部３ａが全ての開閉センサ２から離席信号ａ１を受けたと判断すると、ステップＳ２へ進み、制御部３ａが開閉センサ２から離席信号ａ１を受けていないと判断した場合には、ステップＳ１の前に戻る。次に、ステップＳ２において、所定の待ち時間が経過したと制御部３ａが判断すると、ステップＳ３へ進み、天井照明１５ａに対して消灯信号ｂ１を送る。これにより、天井照明１５ａが消灯状態となる。なお、ステップＳ２において、所定の待ち時間が経過していないと制御部３ａが判断した場合には、ステップＳ２の前に戻る。
【００２７】
一方、天井照明１５ａ，１５ｂが点灯している状態で机１１〜１４の全作業者が各自のノートパソコン１ｅ〜１ｈのカバー５ａを閉じると、開閉センサ２から制御部３ｂに離席信号ａ１が送られる。ステップＳ１において、制御部３ｂが全ての開閉センサ２から離席信号ａ１を受けたと判断すると、ステップＳ２へ進み、制御部３ｂが開閉センサ２から離席信号ａ１を受けていないと判断した場合には、ステップＳ１の前に戻る。次に、ステップＳ２において、所定の待ち時間が経過したと制御部３ｂが判断すると、ステップＳ３へ進み、天井照明１５ｂに対して消灯信号ｂ１を送る。これにより、天井照明１５ｂが消灯状態となる。なお、ステップＳ２において、所定の待ち時間が経過していないと制御部３ｂが判断した場合には、ステップＳ２の前に戻る。  
【００２８】
次に、図４に示すように、例えば、天井照明１５ａ，１５ｂが消灯している状態で机７〜１０の作業者が着席してノートパソコン１ａ〜１ｄのうちの少なくとも１台についてカバー５ａを開けると、開閉センサ２から制御部３ａに着席信号ａ２が送られる。ステップＳ１において、制御部３ａが開閉センサ２から着席信号ａ２を受けたと判断すると、ステップＳ２へ進む。そして、制御部３ａは机７〜１０の作業者のうちの少なくとも１人が着席したものとみなして、ステップＳ２で天井照明１５ａに点灯信号ｂ２を送る。これにより、天井照明１５ａが点灯状態となる。なお、ステップＳ１において、制御部３ａが開閉センサ２から着席信号ａ２を受けていないと判断した場合には、ステップＳ１の前に戻る。
【００２９】
また、天井照明１５ａ，１５ｂが消灯している状態で机１１〜１４の全作業者が着席してノートパソコン１ｅ〜１ｈのうちの少なくとも１台についてカバー５ａを開けると、開閉センサ２から制御部３ｂに着席信号ａ２が送られる。ステップＳ１において、制御部３ｂが開閉センサ２から着席信号ａ２を受けたと判断すると、ステップＳ２へ進む。そして、制御部３ｂは机１１〜１４の作業者のうちの少なくとも１人が着席したものとみなして、ステップＳ２で天井照明１５ｂに点灯信号ｂ２を送る。これにより、天井照明１５ｂが点灯状態となる。なお、ステップＳ１において、制御部３ｂが開閉センサ２から着席信号ａ２を受けていないと判断した場合には、ステップＳ１の前に戻る。
【００３０】
このような構造の照明制御装置においては、ノートパソコン１ａ〜１ｈの稼働状態によらず、表示部５のカバー５ａの開閉状態が開閉センサ２によって検出される。すなわち、ノートパソコン１ａ〜１ｈの電源がＯＦＦ状態であっても、作業者が表示部５のカバー５ａを閉じると、制御部３ａ，３ｂによって天井照明１５ａ，１５ｂが消されるとともに、表示部５のカバー５ａを開くと制御部３ａ，３ｂによって天井照明１５ａ，１５ｂが点けられるという作用を有する。
【００３１】
以上説明したように、本実施例の照明制御装置によれば、作業者が離席する際にノートパソコン１ａ〜１ｈの表示部５のカバー５ａを閉じるだけで天井照明１５ａ，１５ｂが消えるため、その消し忘れを防止することが可能である。また、天井照明１５ａ，１５ｂについて点灯状態と消灯状態を個別に切り替えることにより、省電力化を図ることができる。さらに、ノートパソコン１ａ〜１ｈのうちの少なくとも１台について表示部５のカバー５ａを開けるだけで、該当するエリアの照明を素早く点灯状態にすることが可能である。加えて、本実施例の照明制御装置によれば、作業者の有無ではなく、表示部５のカバー５ａの開閉状態に基づいて天井照明１５ａ，１５ｂの動作が制御されるため、例えば、休憩時間の仮眠等のようにオフィス内に作業者が居る状態でも天井照明１５ａ，１５ｂを消灯状態にすることが可能である。また、ノートパソコン１ａ〜１ｈを必要としない作業をする場合などのようにノートパソコン１ａ〜１ｈが稼働していない状態であっても、表示部５のカバー５ａを開けておけば、天井照明１５ａ，１５ｂが制御部３ａ，３ｂによって消されるおそれがない。そして、作業者がノートパソコン１ａ〜１ｈの表示部５のカバー５ａを閉じた場合、所定の待ち時間が経過するまで天井照明１５ａ，１５ｂの点灯状態が維持されるため、待ち時間を、作業者が表示部５のカバー５ａを閉じて退室する際に要する時間よりも長く設定しておくと、天井照明１５ａ，１５ｂは作業者が退室した後に消えることになる。この場合、作業者は安全に退室することができる。
【実施例２】
【００３２】
実施例２の照明制御装置について図５及び図６を用いて説明する（特に、請求項４及び請求項５に対応）。
図５及び図６は実施例２の照明制御装置における制御部の動作手順を示すフローチャートである。なお、図１乃至図４で示した構成要素については同一の符号を付して、その説明を省略する。
【００３３】
本実施例の照明制御装置は実施例１の照明制御装置において、ノートパソコン１からスクリーンセーバが起動され、あるいは解除された際に発生する起動信号ｃ１及び解除信号ｃ２を検出する信号検出手段（図示せず）を備えた構造となっている。なお、スクリーンセーバとは、パソコン等に標準で装備され、一定時間、パソコンを操作していない場合に、画面の焼き付きや他人による不正使用を防止することを目的として画面を暗くしたり、アニメーションを表示したりする機能のことである。
すなわち、本実施例の照明制御装置は、ノートパソコン１のカバー５ａの開閉状態とスクリーンセーバの起動状態に基づいて天井照明１５ａ，１５ｂの動作を制御することを特徴としている。
【００３４】
図５に示すように、例えば、天井照明１５ａ，１５ｂが点灯している状態で机７〜１０の作業者が離席する際に各自のノートパソコン１ａ〜１ｄのカバー５ａを閉じると、開閉センサ２から制御部３ａに離席信号ａ１が送られる。ステップＳ１において、制御部３ａがノートパソコン１ａ〜１ｄに取り付けられた全ての開閉センサ２から離席信号ａ１を受けたと判断すると、ステップＳ３に進む。一方、制御部３ａが離席信号ａ１を受けていない開閉センサ２が１つでもあれば、ステップＳ２へ進む。次に、ステップＳ２において、制御部３ａが離席信号ａ１を受けていない全てのノートパソコン１ａ〜１ｄから信号検出手段を介して、スクリーンセーバが起動したことを示す起動信号ｃ１を制御部３ａが受けたと判断すると、ステップＳ３へ進み、ノートパソコン１ａ〜１ｄのうち、制御部３ａがスクリーンセーバの起動信号ｃ１を受けていないものが１台でもあれば、ステップＳ１の前に戻る。さらに、ステップＳ３において、所定の待ち時間が経過したと制御部３ａが判断すると、ステップＳ４へ進み、天井照明１５ａに対して消灯信号ｂ１を送る。これにより、天井照明１５ａが消灯状態となる。一方、ステップＳ３において、所定の待ち時間が経過していないと制御部３ａが判断した場合には、ステップＳ３の前に戻る。
なお、ステップＳ２において、離席信号ａ１を受け取っていない全てのノートパソコン１ａ〜１ｄからスクリーンセーバが起動したことを示す起動信号ｃ１を受けた場合としたのは、ノートパソコン１ａ〜１ｄのカバー５ａが閉じられて、電源がオフとなっている場合やスリープモードになっている場合もあり、その場合には必ずしもそのノートパソコンのスクリーンセーバが起動していない場合もあるためである。
また、本実施例においてもステップＳ３を設けて待ち時間の経過を待って、ステップＳ４に進んで天井照明１５ａに対して消灯信号ｂ１を送っているが、これはステップＳ１で肯定されてステップＳ３にくる場合には、最後の作業者の離席から時間があった方が退室までに余裕ができるので望ましいものの、ステップＳ２で肯定されてステップＳ３にくる場合には、スクリーンセーバの起動までに時間を消費していることから、必ずしも必要ではないとも考えられる。
従って、ステップＳ２で肯定される場合には、直接ステップＳ４へ進むようにしておいてもよい。
さらに、スクリーンセーバはパーソナルコンピュータに予めインストールされている場合が多いが、その起動信号はパーソナルコンピュータの制御部かあるいはスクリーンセーバ用の制御部が存在するならばその制御部から発生されるものであり、特にいずれの場所から発生するものであるかは問題とすることなく、発生した信号を抽出して用いるものである。
【００３５】
一方、天井照明１５ａ，１５ｂが点灯している状態で机１１〜１４の全作業者が各自のノートパソコン１ｅ〜１ｈのカバー５ａを閉じた場合には、開閉センサ２から制御部３ｂに離席信号ａ１が送られる。開閉センサ２から制御部３ｂに離席信号ａ１が送られる。ステップＳ１において、制御部３ｂがノートパソコン１ｅ〜１ｈに取り付けられた全ての開閉センサ２から離席信号ａ１を受けたと判断すると、ステップＳ３に進む。一方、制御部３ｂが離席信号ａ１を受けていない開閉センサ２が１つでもあれば、ステップＳ２へ進む。次に、ステップＳ２において、制御部３ｂが離席信号ａ１を受けていない全てのノートパソコン１ｅ〜１ｈから信号検出手段を介して、スクリーンセーバが起動したことを示す起動信号ｃ１を制御部３ｂが受けたと判断すると、ステップＳ３へ進み、ノートパソコン１ｅ〜１ｈのうち、制御部３ｂがスクリーンセーバの起動信号ｃ１を受けていないものが１台でもあれば、ステップＳ１の前に戻る。さらに、ステップＳ３において、所定の待ち時間が経過したと制御部３ｂが判断すると、ステップＳ４へ進み、天井照明１５ｂに対して消灯信号ｂ１を送る。これにより、天井照明１５ｂが消灯状態となる。一方、ステップＳ３において、所定の待ち時間が経過していないと制御部３ｂが判断した場合には、ステップＳ３の前に戻る。
【００３６】
次に、図６に示すように、例えば、天井照明１５ａ，１５ｂが消灯している状態で机７〜１０の作業者がノートパソコン１ａ〜１ｄを操作することによりスクリーンセーバが解除された場合、信号検出手段を介して制御部３ａに解除信号ｃ２が送られる。ステップＳ１において、制御部３ａがスクリーンセーバの解除信号ｃ２を受けたと判断すると、ステップＳ３へ進む。一方、ノートパソコン１ａ〜１ｄの電源がＯＦＦの状態でカバー５ａが閉じられている場合には、スクリーンセーバの解除信号ｃ２は発生しないため、ステップＳ２へ進む。そして、カバー５ａを開くことにより開閉センサ２から制御部３ａに着席信号ａ２が送られ、ステップＳ２において制御部３ａが着席信号ａ２を受けたと判断すると、ステップＳ３へ進む。なお、ステップＳ２において、制御部３ａが開閉センサ２から着席信号ａ２を受けていないと判断した場合には、最初のステップＳ１の前に戻り、スクリーンセーバの解除信号ｃ２の有無を判断する。
ステップＳ３では、制御部３ａは机７〜１０の作業者のうちの少なくとも１人が着席したものとみなして天井照明１５ａに対して点灯信号ｂ２を送る。これにより、天井照明１５ａが点灯状態となる。
【００３７】
天井照明１５ａ，１５ｂが消灯している状態で机１１〜１４の作業者がノートパソコン１ｅ〜１ｈを操作することによりスクリーンセーバが解除された場合、信号検出手段を介して制御部３ｂに解除信号ｃ２が送られる。ステップＳ１において、制御部３ｂがスクリーンセーバの解除信号ｃ２を受けたと判断すると、ステップＳ３へ進む。一方、ノートパソコン１ｅ〜１ｈの電源がＯＦＦの状態でカバー５ａが閉じられている場合には、スクリーンセーバの解除信号ｃ２は発生しないため、ステップＳ２へ進む。そして、カバー５ａを開くことにより開閉センサ２から制御部３ｂに着席信号ａ２が送られ、ステップＳ２において制御部３ｂが着席信号ａ２を受けたと判断すると、ステップＳ３へ進む。なお、ステップＳ２において、制御部３ｂが開閉センサ２から着席信号ａ２を受けていないと判断した場合には、最初のステップＳ１の前に戻り、スクリーンセーバの解除信号ｃ２の有無を判断する。
ステップＳ３では、制御部３ｂは机１１〜１４の作業者のうちの少なくとも１人が着席したものとみなして天井照明１５ｂに対して点灯信号ｂ２を送る。これにより、天井照明１５ｂが点灯状態となる。
【００３８】
このような構造の照明制御装置においては、ノートパソコン１ａ〜１ｈが稼働中であれば、表示部５のカバー５ａの開閉状態に関わらず、スクリーンセーバの起動の有無が検出される。従って、表示部５のカバー５ａが開いた状態でも、作業者がノートパソコン１ａ〜１ｈを所定の時間操作しないことによりスクリーンセーバが起動した場合には、天井照明１５ａ，１５ｂが消灯状態になるという作用を有する。そして、作業者が再びノートパソコン１ａ〜１ｈを操作することによりスクリーンセーバが解除されると、天井照明１５ａ，１５ｂが点灯状態になるという作用を有する。
【００３９】
以上説明したように、本実施例の照明制御装置によれば、作業者が一時的に別室に移動する時などのように、ノートパソコン１ａ〜１ｈを稼働させた状態で表示部５のカバー５ａを閉じずに退室した場合でも天井照明１５ａ，１５ｂを消灯状態とすることができる。従って、実施例１の場合よりも一層確実に天井照明１５ａ，１５ｂの消し忘れを防止することができる。また、スクリーンセーバが起動しても天井照明１５ａ，１５ｂはすぐには消えず、所定の待ち時間が経過するまで点灯状態が維持される。従って、待ち時間を、作業者がノートパソコン１ａ〜１ｈの操作を止めてから退室するまでに要する時間よりも長く設定しておくと、例えば、セキュリティ上の問題からスクリーンセーバが短時間で起動するように設定されている場合であっても天井照明１５ａ，１５ｂが消える前に作業者は安全に退室することができる。
【００４０】
本発明の照明制御装置は、上記実施例に示すものに限定されるものではない。例えば、スイッチ部２ａを表示部５の側面に取り付けるとともに、押下部２ｂを本体４の側面に取り付けた構造とすることもできる。また、表示部５のカバー５ａの開閉状態の検出に、スイッチ部２ａと押下部２ｂからなる開閉センサ２を用いる代わりに、光電センサと反射板を組み合わせたものや近接スイッチを用いても良い。なお、表示部を開閉させないデスクトップ型のパソコンが設置されたオフィスに対しては、本発明の照明制御装置を、実施例２においてスクリーンセーバの起動の有無のみによって照明の動作を制御する構成とすることにより対応可能である。
【産業上の利用可能性】
【００４１】
本発明の請求項１乃至請求項５に記載された発明は、ノートブック型やデスクトップ型のパソコンが設置されたオフィス等において天井照明の消し忘れを防ぐ場合に有効である。
【符号の説明】
【００４２】
１…ノートパソコン  １ａ〜１ｈ…ノートパソコン  ２…開閉センサ  ２ａ…スイッチ部  ２ｂ…押下部  ３…制御部  ３ａ，３ｂ…制御部  ４…本体  ５…表示部  ５ａ…カバー  ６…先端部  ７〜１４…机  １５ａ，１５ｂ…天井照明  ａ１…離席信号  ａ２…着席信号  ｂ１…消灯信号  ｂ２…点灯信号  ｃ１…起動信号  ｃ２…解除信号  
【図１】
2011065789.tif 000003
【図２】
2011065789.tif 000004
【図３】
2011065789.tif 000005
【図４】
2011065789.tif 000006
【図５】
2011065789.tif 000007
【図６】
2011065789.tif 000008